(57)【要約】      （修正有）【課題】本発明は、独自形態のヘアピンを使い簡単にヘアースタイルを作り出すことができ、尚かつ頭髪の色々な部分に取り付けることが可能にする。【解決手段】ヘアピンの穴に髪を通し、または髪を通す穴の組み合わせによって自由自在にヘアースタイルを作り出すことができる。【選択図】  図１
2005169050.tif 000002
【特許請求の範囲】
【請求項１】
弾性のヘアピンの穴をくぐらせた髪が長時間自由なヘアースタイルを作ることができる道具
【請求項２】
頭髪の色々な部分において簡単に取り付けることができる。
【請求項３】
ヘアピンの穴の組み合わせにより多種多様なヘアースタイルが作り出せる。
【発明の詳細な説明】
【発明の詳細な説明】
【技術分野】
【０００１】本発明は、頭髪の色々な部分に簡単に取り付けることができ、自由なヘアースタイルを長時間作ることができる道具である。
【背景技術】
【０００２】従来，ヘアーカット、手編みまたは道具により画一的なヘアースタイルを作ることしかできなかった。
【発明が解決しようとする課題】
【０００３】ヘアースタイルを簡単に、尚かつ頭髪の色々な部分のスタイルの変更をしようとする課題を有する。
【課題を解決するための手段】
【０００４】上記課題を解決するために、本発明におけるヘアピンは、弾力性のある硬質性のプラスチックを材質としてヘアピンの穴Ａ・Ｂ及びＣに髪を通し、または髪を通す穴の組み合わせによって自由自在にヘアースタイルを変えることができる。
【０００５】そして、上記のヘアピンは簡単に髪にセットする事ができる。
【０００６】また、ヘアピンの材質は硬質プラスチック及びべっ甲その他弾力性のあるものであれば対応できる。
【発明を実施するための最良の形態】
【０００７】（イ）ヘアピンＡとＣの穴の大きさをあわせたものが穴Ｂの大きさになる。
（ロ）ヘアピンの穴にセットされて作り出されるヘアースタイル及び穴の組み合わせによって作り出されるヘアースタイルは後に図面にて表現する。
（ハ）ヘアピンは頭髪の色々な部分において簡単に取り付けることができる。
【発明の効果】
【０００８】本発明は、上記のとうりに構成されているので次の効果を奏する。
【０００９】請求項１については、髪をヘアピンの穴をくぐらせることにより多種多様なヘアースタイルを簡単に作り出すことができる。
【００１０】請求項２については、頭髪の色々な部分においてヘアースタイルを簡単に作り出すことができる。
【００１１】請求項３については、多種多様なヘアースタイルが作り出せる。
【図面の簡単な説明】
【符号の説明】
Ａ，Ｂ，Ｃ        ヘアピンの穴
【図ア】
ヘアピンの正面図
【図イ】
ヘアピンを装着しているところ。
【図１】
〜
【図１４】
ヘアピンによって作り出された図面である。尚、矢印は髪の流れの方向を示す。
2005169050.tif 000003
2005169050.tif 000004
【図１】
2005169050.tif 000005
【図２】
2005169050.tif 000006
【図３】
2005169050.tif 000007
【図４】
2005169050.tif 000008
【図５】
2005169050.tif 000009
【図６】
2005169050.tif 000010
【図７】
2005169050.tif 000011
【図８】
2005169050.tif 000012
【図９】
2005169050.tif 000013
【図１０】
2005169050.tif 000014
【図１１】
2005169050.tif 000015
【図１２】
2005169050.tif 000016
【図１３】
2005169050.tif 000017
【図１４】
2005169050.tif 000018
【手続補正書】
【提出日】平成16年3月9日(2004.3.9)
【手続補正１】
【補正対象書類名】明細書
【補正対象項目名】全文
【補正方法】変更
【補正の内容】
【発明の詳細な説明】
【特許請求の範囲】
【請求項１】
弾性のヘアピンの穴をくぐらせた髪が長時間自由なヘアースタイルを作ることができる道具。
【請求項２】
頭髪の色々な部分において簡単に取り付けることができる。
【請求項３】
ヘアピンの穴の組み合わせにより多種多様なヘアースタイルが作り出せる。
【発明の詳細な説明】
【０００１】
【技術分野】本発明は、頭髪の色々な部分に簡単に取り付けることができ、自由なヘアースタイルを長時間作ることができる道具である。【０００２】
【背景技術】従来，ヘアーカット、手編みまたは道具により画一的なヘアースタイルを作ることしかできなかった。【０００３】
【発明が解決しようとする課題】
ヘアースタイルを簡単に、尚かつ頭髪の色々な部分のスタイルの変更をしようとする課題を有する。
【０００４】
【課題を解決するための手段】
上記課題を解決するために、本発明におけるヘアピンは、弾力性のある硬質性のプラスチックを材質としてヘアピンの穴Ａ・Ｂ及びＣに髪を通し、または髪を通す穴の組み合わせによって自由自在にヘアースタイルを変えることができる。
【０００５】そして、上記のヘアピンは簡単に髪にセットする事ができる。
【０００６】また、ヘアピンの材質は硬質プラスチック及びべっ甲その他弾力性のあるものであれば対応できる。
【０００７】
【発明を実施するための最良の形態】（イ）ヘアピンＡとＣの穴の大きさをあわせたものが穴Ｂの大きさになる。
（ロ）ヘアピンの穴にセットされて作り出されるヘアースタイル及び穴の組み合わせによって作り出されるヘアースタイルは後に図面にて表現する。
（ハ）ヘアピンは頭髪の色々な部分において簡単に取り付けることができる。【０００８】
【発明の効果】
本発明は、上記のとうりに構成されているので次の効果を奏する。
【０００９】請求項１については、髪をヘアピンの穴をくぐらせることにより多種多様なヘアースタイルを簡単に作り出すことができる。
【００１０】請求項２については、頭髪の色々な部分においてヘアースタイルを簡単に作り出すことができる。
【００１１】請求項３については、多種多様なヘアースタイルが作り出せる。
【図面の簡単な説明】
【図１】ヘアピンの正面図。
【図２】ヘアピンを装着しているところ。
2005169050.tif 000019
【符号の説明】
Ａ，Ｂ，Ｃ    ヘアピンの穴（髪の通り穴）
【手続補正３】
【補正対象書類名】図面
【補正対象項目名】全図
【補正方法】変更
【補正の内容】
【図１】
2005169050.tif 000020
【図２】
2005169050.tif 000021
【図３】
2005169050.tif 000022
【図４】
2005169050.tif 000023
【図５】
2005169050.tif 000024
【図６】
2005169050.tif 000025
【図７】
2005169050.tif 000026
【図８】
2005169050.tif 000027
【図９】
2005169050.tif 000028
【図１０】
2005169050.tif 000029
【図１１】
2005169050.tif 000030
【図１２】
2005169050.tif 000031
【図１３】
2005169050.tif 000032
【図１４】
2005169050.tif 000033
【図１５】
2005169050.tif 000034
【図１６】
2005169050.tif 000035